(57)【要約】      （修正有）【課題】すすぎを効率的に行えるシャワーヘッドヘッドおよびシャワーヘッド用のアタッチメントを提供する。【解決手段】一端にホースが接続され当該ホースから水が導入される導入口を有し、他端に導入口から導入された水を放出する出水口１５を有する本体と、本体の他端に出水口１５を囲んで散水方向に延在して形成され、本体から離れるほど径が小さくなるすり鉢状下部カップ６とを備えることにより、すり鉢状下部カップ６部内に水を溜めつつ対流を発生させ、すすぎを効率的に行うことができるシャワーヘッド１００を提供する。さらに、本体の出水口１５とすり鉢状下部カップ６との間に散水板１０を更に備え、すり鉢状下部カップ６の先端に複数の突起部によるすり鉢状突起先端７を有することで、ピンポイントでシャワーを当て、水による頭皮クリーニングも容易に可能となる。【選択図】図２
2014155680.tif 000002
【特許請求の範囲】
【請求項１】
一端にホースが接続され当該ホースから水が導入される導入口を有し、他端に前記導入口から導入された水を放出する出水口を有する本体と、
前記本体の前記他端に前記出水口を囲んで散水方向に延在して形成され、前記本体から離れるほど径が小さくなるカップとを備えるシャワーヘッド。
【請求項２】
前記本体の前記出水口と前記カップとの間に散水板を更に備え、
前記カップは先端に円柱の先端が半球となった形状に形成される。突起７の直径は、０．５ｃｍから１ｃｍ、高さは０．８ｃｍから２ｃｍの範囲で０．５ｃｍから１ｃｍ間隔で配列された粒状の複数の突起部を有することを特徴とする請求項１に記載のシャワーヘッド。
【請求項３】
前記カップは、前記散水板の周辺が半球状の弾性体で形成されたことを特徴とする請求項２に記載のシャワーヘッド。
【請求項４】
前記カップの内壁に傾斜した帯状の隆起を有する請求項２または３に記載のシャワーヘッド。
【請求項５】
前記突起からの排水方向を制限するプレート可動式の止水プレートを更に備える、請求項２から４のいずれか１項に記載のシャワーヘッド。
【請求項６】
前記本体は前記出水口とは異なる他の出水口と、
前記導入口から導入された水を前記出水口および前記他の出水口のいずれから放出するかを切り替える水流切替スイッチと、
前記本体の前記他端に前記他の出水口を囲み前記散水方向とは反対方向に延在して形成され、前記本体から離れるほど径が小さくなる他のカップと
を更に備える請求項１から５のいずれか１項に記載のシャワーヘッド。
【請求項７】
前記他のカップの先端には突起が設けられないことを特徴とする請求項６に記載のシャワーヘッド
【請求項８】
前記他のカップは、排水穴を更に備え、
前記他の出水口から供給される水を前記他のカップから排出する
請求項７に記載のシャワーヘッド。
【発明の詳細な説明】
【技術分野】
【０００１】  本発明は、シャワーヘッドに関する。
【背景技術】
【０００２】  シャンプーで洗髪した後のすすぎが不十分であると、せっかくシャンプーによって浮いた汚れが落ち切れずに残留してしまう。このため、洗髪時にすすぎを十分に行うことが重要である。顔や体を石鹸で洗う場合も同様にすすぎが重要である。【０００３】  一般に、シャワーヘッドは、シャワーホースに接続されるシャワーヘッド本体の先端に散水板を取り付け、この散水板に多数の小さな散水孔を開口して構成されている。シャワーホースを通じて供給される水又はお湯は、シャワーヘッド本体内を通り、散水板に形成した多数個の散水孔を通じてシャワー水として放出される。【０００４】  このような一般的なシャワーヘッドでは、頭頂部や前頭部のようにシャワー水が当たりやすい部分では比較的すすぎがしやすいが、側頭部、後頭部、襟足といった部分にはシャワー水が当たりにくく、すすぎは容易とは言えない。また、これらのすすぎにくい部位にシャワー水を当てようとすると、シャワー水が周囲に飛び散ってしまう場合がある。【０００５】  すすぎを改善する策として、洗髪用ブラシの先端部分に穴をあけ、噴水口を設けたものを、シャワーヘッドを取り付けて、シャワーから噴射される水が頭皮まで行き届くようにしたシャワーブラシが提案されている（例えば特許文献１）。その他、泡をスピーディーに落とす技術（例えば特許文献２）、周辺への水の飛散を防止する技術（例えば特許文献３）、片手だけですすぎを十分に行うための技術（例えば特許文献４）等が提案されている。
【先行技術文献】
【特許文献】
【０００６】
【特許文献１】  実用新案登録第３０８４４９７号公報
【特許文献２】  特開平１１−１８８２３
【特許文献３】  実登３１７６４７９
【特許文献４】  特開２００８−１９４４２９
【発明の概要】
【発明が解決しようとする課題】
【０００７】  しかしながら、頭皮に直接水を当てたとしても、噴射された水はすぐに頭の表面を伝って流れ落ちてしまい、必ずしも十分なすすぎを効率的にできているとは言えない。美容師である発明者の経験上、洗髪時にすすぎを効果的に行うコツは、シャワーを持たない方の手をお椀状にすぼめ、その中でシャワーから出る湯をためつつ対流させながら、頭髪に湯を当てる点にある（いわゆる「溜めすすぎ」）。従来のシャワーヘッドでは、噴出した湯をためて対流させることができなかった。
【課題を解決するための手段】
【０００８】  そこで、本発明は上記の課題を解決することのできるシャワーヘッドを提供することを目的とする。この目的は特許請求の範囲における独立項に記載の特徴の組み合わせにより達成される。また従属項は本発明の更なる有利な具体例を規定する。【０００９】  上記目的を達成するために、本発明のシャワーヘッドは、一端にホースが接続され当該ホースから水が導入される導入口を有し、他端に導入口から導入された水を放出する出水口を有する本体と、本体の他端に出水口を囲んで散水方向に延在して形成され、本体から離れるほど径が小さくなるカップとを備える。【００１０】  シャワーヘッドは、本体の出水口とカップとの間に散水板をさらに備え、カップは先端に円柱の先端が半球となった形状に形成される。突起７の直径は、０．５ｃｍから１ｃｍ、高さは０．８ｃｍから２ｃｍの範囲で０．５ｃｍから１ｃｍ間隔で配列された粒状の複数の突起部を有するとよい。また、カップは、散水板の周辺が半球状の弾性体で形成されるとよい。カップの内壁に傾斜した帯状の隆起を有すると更によい。突起からの排水方向を制限するプレート可動式の止水プレートを更に備えるとよい。【００１１】  シャワーヘッドの本体は出水口とは異なる他の出水口と、導入口から導入された水を出水口および他の出水口のいずれから放出するかを切り替える水流切替スイッチと、本体の他端に他の出水口を囲み散水方向とは反対方向に延在して形成され、本体から離れるほど径が小さくなる他のカップとを更に備えるとよい。他のカップの先端には突起が設けられないとよい。他のカップは、排水穴を更に備え、他の出水口から供給される水を他のカップから排出すると更によい。【００１２】  上記目的を達成するために、本発明の第２の形態に係るシャワーヘッド用アタッチメントは、シャワーヘッド本体に取り付けられ、シャワーヘッドの散水板における散水孔が設けられた領域を取り囲む開口を有するカップ部と、カップ部先端に略等間隔に配置されたた複数の突起と、カップ部が前記シャワーヘッドの散水方向に延在すべくシャワーヘッドに固定する取付構造とを備える。【００１３】  なお、上紀の発明の概要は、本発明の必要な特徴の全てを列挙したものではなく、これらの特徴群のサブコンビネーションも又発明となりうる。
【図面の簡単な説明】
【００１４】
【図１】シャワーヘッド１００の外観を示す斜視図である。
【図２】シャワーヘッド１００の断面図である。
【図３】シャワーヘッド１００の上面図である。
【図４】フェイシャル・ボディピンポイント用逆すり鉢形状１及びその近傍の断面図である。
【図５】シャワーヘッド１００の下面図である。
【図６】シャワーヘッド１００に可動止水プレートを取り付けた状態の外観を示す。
【図７】半球状弾性体５を押しつぶさない状態のシャワーヘッド１００の正面図である。
【図８】半球状弾性体５を押しつぶした状態のシャワーヘッド１００の正面図である。
【発明を実施するための形態】
【００１５】  以下、本発明について、一実施形態を図面を参照して説明する。図１は本実施形態のシャワーヘッド１００の外観を示す。また図２はシャワーヘッド１００の断面図である。シャワーヘッド１００の一端には、導入口４が形成され、導入口４は図示しないシャワーホースに連結される。シャワーヘッド１００の内部には、導入口４から流入した水を出水口へと導く流路が形成される。本実施形態のシャワーヘッド１００は２つの出水口を備える。導入口４から流入した水は、水流切替スイッチ３の設定に応じて、いずれか一方の出水口のみに供給される。例えば、水流切替スイッチ３を「上」に設定すると第１出水口１４に水が供給され、「下」に設定すると第２出水口１５に水が供給される。また、水流切替スイッチ３を「止」に設定すると、どちらにも水が供給されない節水状態としてもよい。シャワーヘッド１００の上部に設けられた第１出水口１４は、フェイシャル・ボディピンポイント用逆すり鉢形状１の出水口であり、シャワーヘッド１００の下部に設けられた第２出水口１５は、頭皮、ボディなどを洗い流すための通常シャワー用の出水口である。
【００１６】  例えば、シャワーヘッド１００の本体の上部に設けられるフェイシャル・ボディピンポイント用逆すり鉢形状１は、本体に接する部位の直径が７ｃｍから８ｃｍあり上淵部が直径４ｃｍから５ｃｍの開口を有する逆すり鉢状に形成され、シャワーヘッド１００の本体の下部に設けられるすり鉢状下部カップ６頭皮用カップは、本体に接する部位の直径が７ｃｍから８ｃｍであり突起が設けられる先端部分が直径５ｃｍから６ｃｍの開口を有するすり鉢状に形成される。カップをすり鉢状にすることで、内壁に渦を発生しやすくする水流、対流速度が増し、すすぎ効果を増大することができる。シャワーヘッド１００の本体は、エラストマー、シリコンなどの弾性のある素材で一体形成するとよい。従来の樹脂タイプのシャワーヘッドに比べ、落下による破損、怪我防止も期待でき、肌あたりも良好となる。
【００１７】  図３は、シャワーヘッド１００の上面図を示し、図４は、フェイシャル・ボディピンポイント用逆すり鉢形状１及びその近傍の断面図を示す。第１出水口１４は、フェイシャル・ボディピンポイント用逆すり鉢形状１の出水口であり、第１出水口１４を囲んでフェイシャル・ボディピンポイント用逆すり鉢形状１を備える。フェイシャル・ボディピンポイント用逆すり鉢形状１は、先端に行くほど（すなわちシャワーヘッド１００の本体から離れるほど）径が小さくなる逆すり鉢形状に形成される。一例として、フェイシャル・ボディピンポイント用逆すり鉢形状１は、本体に接する部位の直径が７ｃｍから８ｃｍであり上淵部が直径４ｃｍから５ｃｍの開口を有する逆すり鉢状に形成される。このような形状により、フェイシャル・ボディピンポイント用逆すり鉢形状１の止水板９位置よりカップ内に対流が起こりやすくなる。フェイシャル・ボディピンポイント用逆すり鉢形状１は、先端部に突起を有さない。お顔、ボディにフィットしやすい上、肌に対して刺激が少なく肌あたり、滑りが良好である。お顔、ボディの凹凸にフィットするフェイシャル・ボディピンポイント用カップ先端２直径は３〜５センチ以内が望ましい。シャワーヘッド本体を逆さまに使用する状況では水の自重により効率よく水、湯を、対流させることができる。フェイシャル・ボディピンポイント用逆すり鉢形状１のカップ内壁に高さ２ｍｍ〜５ｍｍ長さ３ｃｍ程度の隆起を帯状斜めに配置形成する。この帯状斜め隆起形成８により、カップの高さを無用に長くすることなく効率よく対流が起こさせることができる。
【００１８】  フェイシャル・ボディピンポイント用逆すり鉢形状１のカップは排水穴１２を有し、排水穴１２には排水ホース１２ａが接続される。排水穴１２、排水ホース１２ａを有する構造により長時間きれいな状態と設定された温度の水、湯をカップ内に継続的に供給でき、自分の意図する方向に排水できるため体や髪に水、湯を飛散する事を防止できる。導入口４から流路を経由してフェイシャル・ボディピンポイント用逆すり鉢形状１のカップに供給される水、湯は、カップ内壁に這わせるように内壁に向けて噴射される。これによりフェイシャル・ボディピンポイント用逆すり鉢形状１内で対流を生じさせることができる。また、肌の敏感な顔にダイレクトに噴射しないことで刺激や水流、水圧による息苦しさを気にすることなく、たっぷりと時間をかけて肌に対して石鹸、洗剤等の残留をなくすことが容易に行える。顔にダイレクトに水流が当たらない為、通常の洗顔では不可能な長時間、顔の皮膚に、水、湯につけて毛穴を開かせること、洗顔後の冷水による皮膚のクーリング、毛穴引き締め効果の温水と冷水を交互に出す、冷たい水と適度な温度のお湯を交互に浴びる温冷浴（温冷交代浴）をピンポイントで行うことが容易に行える。フェイシャル・ボディピンポイント用逆すり鉢形状１の中央部分には高さ１ｃｍから２ｃｍ直径２ｃｍから３ｃｍ程度の水流安定隆起１１が止水板９と一体形成される。水流安定隆起１１によりフェイシャル・ボディピンポイント用逆すり鉢形状１の安定した水流を保つことが出来る。
【００１９】  上述のフェイシャル・ボディピンポイント用カップ先端２では最上部の淵の周縁で皮膚を押さえるので、お顔の皮膚にぴったり密着させてカップ部最上部の淵からの水漏れを防ぐ。これを頭皮、頭髪用に用いると、フェイシャル・ボディピンポイント用カップ先端２の淵の周縁で髪の毛を押さえてしまうことなり、平均約１０万本あるといわれる頭髪の根元にある毛穴、頭皮や髪の毛の間に入り込んでいる、洗剤や汚れを結果的に毛髪で押さえ込み、閉じ込めてしまい、すすぎ効果が一般的なシャワーですすぐことに比べても著しく損なわれる恐れがある。そこでシャワーヘッド１００は、頭皮用の第２出水口１５を備える。
【００２０】  図５は、シャワーヘッド１００の下面図である。第２出水口１５は、頭皮、ボディ、通常シャワー用の出水口である。第２出水口１５を囲んで頭皮・ボディ・通常シャワー用すり鉢状下部カップ６を備える。頭皮・ボディ・通常シャワー用すり鉢状下部カップ６は、先端に行くほど（すなわちシャワーヘッド１００の本体から離れるほど）径が小さくなるすり鉢形状に形成される。一例として、頭皮用カップは、本体に接する部位の直径が７ｃｍから８ｃｍでありすり鉢状突起先端７先端部分が直径５センチから６ｃｍの開口を有するすり鉢状に形成される。このような形状により、すり鉢状下部カップ６内にカップの内壁に沿ったらせん状の水流が起こりやすくなる。すり鉢状下部カップ６内の水流により、すすぎ効果が高まるとともに、後述のすり鉢状突起先端７によるマッサージ効果を一層高めることができる。第２出水口１５と頭皮・ボディ・通常シャワー用カップの間には散水板１０が設けられ、第２出水口１５から放出される水は散水板１０によってシャワー水として放出される。頭皮・ボディ・通常シャワー用カップは、すり鉢状突起先端７に円柱の先端が半球となった形状に形成される。すり鉢状突起先端７の直径は、０．５ｃｍから１ｃｍ、高さは０．８ｃｍから２ｃｍの範囲で０．５ｃｍから１ｃｍ間隔で配列された粒状の複数の突起部を有する。すり鉢状突起先端７を頭皮に押し当てる事で頭皮、皮膚が隆起し毛穴が開きやすくなる。また、お湯・お水の排出が制限されるため、お湯・お水を長時間カップ内にとどめておくことができる。ピンポイントでシャワーを当てることで、水による頭皮クーリング、毛穴、肌の引き締めも容易に可能となる。
【００２１】  すり鉢状下部カップ６内壁に高さ２ｍｍ〜５ｍｍ長さ３ｃｍ程度の隆起である帯状斜め隆起形成１３を帯状斜めに配置形成する。帯状斜め隆起形成１３は、カップの高さを無用に長くすることなく対流が起こる容積を稼ぎ、排水の際には、すり鉢型の形状により、水の自重によって、渦を発生しやすくでき、効率よく水、湯を、すり鉢形状上部から下部に流出するとともに、すり鉢状突起先端７の粒状配列隙間より排水することができる。図６は、シャワーヘッド１００に可動止水プレート１６を取り付けた状態の外観を示す。図６に示したように、頭皮・ボディ・通常シャワー用カップのすり鉢状突起先端７の周縁に可動式止水プレート１６を設ける。可動式止水プレート１６は頭皮・ボディ・通常シャワー用カップの粒状配列根元の周縁部分から高さ０．５ｃｍから１ｃｍ程の輪形状で、一部分が高さは０．８ｃｍから２ｃｍ、幅４ｃｍから６ｃｍの頭皮・ボディ・通常シャワー用カップ６の粒状配列先端部分まで覆う形状に形成される。このような形状の可動止水プレート１６を備えることで、例えば、シャンプーのすすぎの際に顔が濡れることを嫌う子供の顔の方向に水、湯が排水されないようにできる。
【００２２】  すり鉢状下部カップ６の最上部（散水板１０の下周辺）は、半球状の弾性体で高さは２ｃｍから４ｃｍ、幅７ｃｍから１０ｃｍで形成されることが好ましい。図７は、半球状弾性体５を押しつぶさない状態のシャワーヘッド１００の正面図であり、図８は、半球状弾性体５を押しつぶした状態のシャワーヘッド１００の正面図である。半球状弾性体５の部分をシャワーヘッド本体及び手を使って押しつぶすことでカップ内に溜まっている水、湯を急激に噴出させることで、よりスピード、勢いのある強い対流、水圧を発生、噴出することで頭皮、頭髪に対して、毛髪の間に溜まっているシャンプー薬剤、汚れを一気に洗い流し、汚れた水、湯を排水、押しつぶされた半球状弾性体５部分が元の形状に戻る際には継続的に流入する水、湯とともにカップ内が負圧となって、毛穴の汚れを吸い出すバキューム効果が得られる。
【００２３】  シャワーヘッド１００を用いて顔を洗うときは、水流切替スイッチ３により第１出水口１４から水が出るようにし、フェイシャル・ボディピンポイント用逆すり鉢形状１カップの縁を皮膚に押し当て滑らせながら使用する。一方、頭髪を洗うときは、水流切替スイッチ３により第２出水口１５から水が出るようにし、最初は頭皮にすり鉢状突起先端７をくっつけずに、通常のシャワー同様の使い方で、髪を予すすぎ、シャンプー後も泡を最初に流し、次にシャワーカップすり鉢状突起先端７を頭皮押し当て滑らせながら使用する。
【産業上の利用可能性】
【００２４】  シャワーヘッドにカップ部を設けることにより、カップ部内に水を溜めつつ対流を発生させ、すすぎを効率的に行うことができる。
【符号の説明】
【００２５】１００  シャワーヘッド
１  フェイシャル・ボディピンポイント用逆すり鉢形状
２  ヘッド部
３  水流切替スイッチ
４  導入口
５  半球状弾性体
６  すり鉢状下部カップ
７  すり鉢状突起先端
８  帯状斜め隆起形成
９  止水板
１０  散水板
１１  水流安定隆起
１２  排水穴
１２ａ  排水ホース
１３  帯状斜め隆起形成
１４  第１出水口
１５  第２出水口
１６  可動止水プレート
【図１】
2014155680.tif 000003
【図２】
2014155680.tif 000004
【図３】
2014155680.tif 000005
【図４】
2014155680.tif 000006
【図５】
2014155680.tif 000007
【図６】
2014155680.tif 000008
【図７】
2014155680.tif 000009
【図８】
2014155680.tif 000010